(57)【要約】【課題】  本発明は、物品を収納することができる上、万華鏡としても利用できる万華鏡付き収納ケースを提供する。【解決手段】  本発明の万華鏡付き収納ケース１は、第１壁面２１及び第２壁面２２が山形状に連設され且つ第１壁面２１及び第２壁面２２の間に他の壁面２３，２４が連設された筒状体２を有し、筒状体２内を２つの空間に区画する仕切壁面２５が、筒状体２の長手方向に沿って設けられており、筒状体２内には、仕切壁面２５、第１壁面２１及び第２壁面２２の３面によって三角筒状部５が形成されていると共に、仕切壁面２５及び他の壁面２３，２４によって物品Ａを収納可能な筒状収納部６が形成されており、仕切壁面２５、第１壁面２１及び第２壁面２２に反射層４が積層され、筒状体２の長手方向後側には、筒状体２の長手方向に対して直交する方向に模様シートを挿入脱できる挿入口と、光を取り入れる採光部が形成されている。【選択図】  図４
2009173321.tif 000002
【特許請求の範囲】
【請求項１】
透光性シート材を組み立てて形成されており、
第１壁面及び第２壁面が山形状に連設され且つ前記第１壁面及び第２壁面の間に他の壁面が連設されて筒状に形成された筒状体と、前記筒状体の長手方向前側の開口部を閉塞可能な第１蓋部と、前記筒状体の長手方向後側の開口部を閉塞可能な第２蓋部と、を有し、
前記筒状体内を２つの空間に区画する仕切壁面が、前記筒状体の長手方向に沿って設けられており、
前記筒状体内には、前記仕切壁面、第１壁面及び第２壁面の３面によって三角筒状部が形成されていると共に、前記仕切壁面及び他の壁面によって物品を収納可能な筒状収納部が形成されており、
前記仕切壁面、第１壁面及び第２壁面に反射層が積層されることにより、前記三角筒状部の内側に反射面が形成され、
前記筒状体の長手方向後側であって第２蓋部の近傍には、筒状体の長手方向に対して直交する方向に模様シートを挿入脱できる挿入口が設けられていると共に、前記挿入口と前記三角筒状部の反射面の後縁との間の領域に採光部が形成されていることを特徴とする万華鏡付き収納ケース。
【請求項２】
前記筒状体が、前記第１壁面と、前記第１壁面の一側に連設された第２壁面と、前記第２壁面の一側に連設された第３壁面と、前記第３壁面の一側に連設され且つ前記第１壁面の他側に連設された第４壁面と、を有する折り畳み可能な四角筒状に形成されており、
前記仕切壁面の一側が、前記第２壁面と第３壁面の境界部分に連設され、且つ前記仕切壁面の他側が、前記第１壁面と第４壁面の境界部分に接している請求項１に記載の万華鏡付き収納ケース。
【請求項３】
前記反射面に対応する領域に反射層が積層された１枚の透光性シート材からなる請求項１または２に記載の万華鏡付き収納ケース。
【発明の詳細な説明】
【技術分野】
【０００１】
本発明は、収納ケースに万華鏡機能が具備された万華鏡付き収納ケースに関する。
【背景技術】
【０００２】
従来、各種の物品を包装する収納ケースは、様々な形態のものが知られている。例えば、菓子、食品、化粧品などの物品が収納ケース内に入れられて市販されている。
このうち、比較的安価に製造でき、さらに、不使用時には折り畳んで扁平状にして保管できるなどの理由から、透光性のある合成樹脂製シート材を組み立てた収納ケースが多用されている（例えば、特許文献１及び２）。
【特許文献１】特開平１１−３０１６５５号公報
【特許文献２】特開２００４−５９０５０号公報
【発明の開示】
【発明が解決しようとする課題】
【０００３】
ところで、収納ケースは、物品を収納することを主目的としているが、単に物品を収納するだけの収納ケースは、面白みがない。このため、物品の収納機能以外に、消費者が興味を示すような機能を具備する収納ケースが市場で求められている。
そこで、本発明者らは、収納ケースに万華鏡機能を一体的に具備させることを検討した。
【０００４】
万華鏡は、厚紙等を円筒状に形成した筒状体の内部に、三角筒状に形成した鏡面筒を挿入し、筒状体の長手方向前側に覗き窓を形成し、筒状体の長手方向後側に所望の模様小片を内在しており、覗き窓から覗きながら筒状体を回転させることにより、その模様小片の像が鏡面筒に映り、その模様変化を楽しむことができる玩具の一種である。
従来、万華鏡を一体的に具備する物品の収納ケースは知られておらず、かかる収納ケースが提供されることにより、物品の販売促進効果が期待できる。
【０００５】
本発明は、シート材を用いて形成された収納ケースであって、物品を収納することができる上、万華鏡としても利用できる万華鏡付き収納ケースを提供することを課題とする。
【課題を解決するための手段】
【０００６】
本発明の万華鏡付き収納ケースは、透光性シート材を組み立てて形成されており、第１壁面及び第２壁面が山形状に連設され且つ前記第１壁面及び第２壁面の間に他の壁面が連設されて筒状に形成された筒状体と、前記筒状体の長手方向前側の開口部を閉塞可能な第１蓋部と、前記筒状体の長手方向後側の開口部を閉塞可能な第２蓋部と、を有し、前記筒状体内を２つの空間に区画する仕切壁面が、前記筒状体の長手方向に沿って設けられており、前記筒状体内には、前記仕切壁面、第１壁面及び第２壁面の３面によって三角筒状部が形成されていると共に、前記仕切壁面及び他の壁面によって物品を収納可能な筒状収納部が形成されており、前記仕切壁面、第１壁面及び第２壁面に反射層が積層されることにより、前記三角筒状部の内側に反射面が形成され、前記筒状体の長手方向後側であって第２蓋部の近傍には、筒状体の長手方向に対して直交する方向に模様シートを挿入脱できる挿入口が設けられていると共に、前記挿入口と前記三角筒状部の反射面の後縁との間の領域に採光部が形成されていることを特徴とする。
好ましくは、上記万華鏡付き収納ケースは、記反射面に対応する領域に反射層が積層された１枚の透光性シート材からなる。
【０００７】
上記本発明の万華鏡付き収納ケースは、筒状収納部に所望の物品を収納して使用される。
本発明の万華鏡付き収納ケースは、第１蓋部から三角筒状部内を覗きながら、挿入口に模様シートを挿入脱することにより、模様シートに表された模様が、採光部を通じて入射する光によって三角筒状部内の反射面に映り、その模様変化を鑑賞できる。
【０００８】
本発明の好ましい万華鏡付き収納ケースは、前記筒状体が、前記第１壁面と、前記第１壁面の一側に連設された第２壁面と、前記第２壁面の一側に連設された第３壁面と、前記第３壁面の一側に連設され且つ前記第１壁面の他側に連設された第４壁面と、を有する折り畳み可能な四角筒状に形成されており、前記仕切壁面の一側が、前記第２壁面と第３壁面の境界部分に連設され、且つ前記仕切壁面の他側が、前記第１壁面と第４壁面の境界部分に接している。
【０００９】
上記好ましい万華鏡付き収納ケースは、筒状体が、折り畳み可能に形成されていると共に、仕切壁面の一側が筒状体を構成する第２壁面と第３壁面に連設され、且つ仕切壁面の他側が第１壁面と第４壁面の境界部分に接しているので、筒状体を扁平状に折り畳むことができる。
【発明の効果】
【００１０】
本発明に係る万華鏡付き収納ケースは、物品を収納できるだけでなく、万華鏡としても利用できる。かかる万華鏡付き収納ケースは、消費者の興味を喚起し、販売促進効果を高めることができる。さらに、本発明の万華鏡付き収納ケースは、透光性シート材で形成されているので、比較的安価に製造できる。
また、本発明の好ましい万華鏡付き収納ケースは、不使用時には扁平状に折り畳むことができるため、保管の便に優れている。
【発明を実施するための最良の形態】
【００１１】
以下、本発明の好ましい一実施形態について、図面を参照しつつ具体的に説明する。なお、各部の用語の接頭語として、第１、第２などを付す場合があるが、該接頭語は、用語を区別するために付加されるものであり、各部の順序や優劣などを意味するわけではない。
図１〜図５に於いて、１は、透光性シート材を組み立てて形成された万華鏡付き収納ケースを示す。
該万華鏡付き収納ケース１は、万華鏡として機能する部分と、物品Ａの収納部として機能する部分と、を有する筒状体２を有し、さらに、筒状体２の長手方向前側の開口部を閉塞可能な第１蓋部３１と、前記筒状体２の長手方向後側の開口部を閉塞可能な第２蓋部３２と、を有する。
また、万華鏡付き収納ケース１には、必要に応じて模様シート９が附属されている。
この模様シート９は、万華鏡を覗く際に用いられ、反射面に模様を映し出すための部材である。
【００１２】
筒状体２は、第１壁面２１及び第２壁面２２が山形状に連設され且つ前記第１壁面２１及び第２壁面２２の間に他の壁面が連設されて筒状に形成されている。
筒状体２内には、筒状体２の長手方向に沿って仕切面壁２５が設けられている。該仕切壁面２５によって、筒状体２の内部は、筒状体２の長手方向に延び且つ仕切壁面２５を介して隣接された、２つの筒状空間に区画されている。この２つの筒状空間の一方の内面には、反射面が形成され、該一方の筒状空間は、万華鏡として機能し得る。他方の筒状空間は、物品Ａの収納部として機能する。
以下、具体的に説明する。
【００１３】
万華鏡付き収納ケース１は、透光性シート材を組み立てて形成されている。
透光性シート材は、光を透過し得るシート材であれば特に限定されず、例えば、ポリプロピレン、ポリエチレンなどのポリオレフィン系、ポリエチレンテレフタレートなどのポリエステル系、ポリスチレン系、ポリアミド系などの各種合成樹脂製シートを用いることができる。また、シート材は、同種又は異種の積層シートでもよい。シート材は、無色であることが好ましいが、透光性を損なわない範囲で着色（例えば、乳白色など）されていてもよい。シート材の厚みは、特に限定されないが、好ましくは０．２ｍｍ〜１．０ｍｍ程度である。中でも、適度な剛性と柔軟性を有することから、厚み０．２ｍｍ〜０．６ｍｍ程度の透明なポリプロピレン製シートを用いることが好ましい。
【００１４】
透光性シート材は、その全光線透過率が７０％以上であることが好ましく、より好ましくは８０％以上であり、さらに好ましくは９０％以上である。
ただし、全光線透過率は、ＪＩＳ Ｋ７１０５（プラスチックの光学的特性試験方法）に準拠した測定法によって測定される値をいう。
【００１５】
上記シート材には、反射面を形成するために、所定領域に反射層４が積層されている。
反射層４としては、アルミニウム箔などの金属箔、金属蒸着層、光沢性のある印刷層などが挙げられる。例えば、シート材の所定領域にホットスタンプ法又はコールドスタンプ法によって金属箔を転写することにより、シート材に反射層４を積層できる。また、シート材の所定領域に金属粒子を蒸着することにより、シート材に反射層４を積層できる。さらに、シート材の所定領域に銀インキなどを印刷することにより、シート材に反射層４を積層できる。
【００１６】
上記筒状体２は、細長い長方形状の第１壁面２１と、第１壁面２１の一側に連設された第２壁面２２と、第２壁面２２の一側に連設された第３壁面２３と、第３壁面２３の一側に連設され且つ第１壁面２１の他側に連設された第４壁面２４と、を有する四角筒状に形成されている。なお、２６は、第２壁面２２と第３壁面２３を連設するための糊代壁面を示す。
前記第１壁面２１、第２壁面２２、第３壁面２３及び第４壁面２４は、各連設部分において互いに折り曲げ可能であり、従って、筒状体２は、折り畳み可能である。折り畳んだ筒状体２を起立させると、第１壁面２１、第２壁面２２、第３壁面２３及び第４壁面２４は、各連設部分において山形状（例えば、直角状）となり、四角筒状の筒状体２が形成される。なお、図示した例では、第１壁面２１、第２壁面２２、第３壁面２３及び第４壁面２４が略直角状となっており、従って、筒状体２は、長方形筒状となっている。ただし、第１壁面２１、第２壁面２２、第３壁面２３及び第４壁面２４の短手方向長さが略同じの場合には、筒状体２は、正方形筒状となる。また、第１壁面２１と第２壁面２２、及び、第３壁面２３と第４壁面２４が鋭角（例えば６０度等）な山形状に連設されている場合には、筒状体２は、菱形筒状となる。
【００１７】
前記第２壁面２２と第３壁面２３の境界部分には、仕切壁面２５の一側が折り曲げ可能に連設され、且つ前記第１壁面２１と第４壁面２４の境界部分には、仕切壁面２５の他側が内接している。従って、仕切壁面２５は、四角筒状の筒状体２の内部において、該筒状体２の対角線上であって筒状体２の長手方向に沿って配置されている。
仕切壁面２５の長手方向長さは、第１壁面２１及び第３壁面２３と略同じ長さに形成されており、仕切壁面２５の短手方向長さは、筒状体２の対角線長さと略同じに形成されていることが好ましい。
該仕切壁面２５によって、筒状体２の内部が２つの空間に区画されている。すなわち、筒状体２の内部は、仕切壁面２５、第１壁面２１及び第２壁面２２の３面によって形成された三角筒状部５と、仕切壁面２５、第３壁面２３及び第４壁面２４の３面によって形成された三角筒状の筒状収納部６と、を有する。
仕切壁面２５が筒状体２の対角線上に配置され且つ第１壁面２１及び第２壁面２２が直角状に連設されている場合には、三角筒状部５は、直角三角形筒状となる。また、仕切壁面２５が筒状体２の対角線上に配置され且つ第１壁面２１及び第２壁面２２が６０度の山形状に連設されている場合には、三角筒状部５は、正三角形筒状となる。
【００１８】
前記仕切壁面２５、第１壁面２１及び第２壁面２２には、一部領域を除いて、反射層４が積層されている。従って、三角筒状部５の内側には、光を反射する反射面が形成されている。
なお、三角筒状部５の後端から所定長さ（５ｍｍ〜１５ｍｍ程度）の領域には、反射層４が積層されていない。この反射層４が積層されていない領域は、透光性シート材のみから構成されているので、光が透過し、後述する採光部８となる。
【００１９】
筒状収納部６内は、中空であるため、そこに所望の物品Ａを収納できる。収納する物品Ａは、特に限定されず、例えば、菓子などの食品、おもちゃ、化粧品、文房具類などが挙げられる。
なお、三角筒状部５内も中空であるため、そこに所望の物品Ａを収納してもよい。もっとも、三角筒状部５は、万華鏡として機能するので、模様を鑑賞する際には、三角筒状部５内に収納された物品Ａは取り出される。
【００２０】
次に、第１蓋部３１は、図６に示すように、例えば、１つの封緘片３１１と２つのフラップ片３１２，３１２から構成されている。封緘片３１１は、第１壁面２１の前縁に折り曲げ可能に連設されている。この封緘片３１１には、第１壁面２１の連設部分と対向する側に差し込み片３１３が折り曲げ可能に連設されている。２つのフラップ片３１２，３１２は、第２壁面２２及び第４壁面２４の前縁に折り曲げ可能に連設されている。
前記フラップ片３１２を筒状体２の開口部側へ折り曲げ、その上に封緘片３１１を折り曲げて重ね合わせ、封緘片３１１の差し込み片３１３を第３壁面２３の内面側に係入することにより、筒状体２の開口部が第１蓋部３１によって閉塞されている。
また、第１蓋部３１を開くことにより、筒状体２の前側の開口部を開放でき、筒状収納部６に収納された物品Ａを出し入れできる。
【００２１】
さらに、第１蓋部３１には、三角筒状部５に対応した領域に、孔部３１４が穿設されている。具体的には、封緘片３１１及びフラップ片３１２には、それらを重ね合わせたとき合致し、且つ三角筒状部５の長手方向前側の開口部に位置する孔部３１４がそれぞれ穿設されている。この第１蓋部３１の孔部３１４は、万華鏡の覗き窓として利用できる。
ただし、第１蓋部３１には前記孔部３１４が形成されていなくてもよい。第１蓋部３１も透光性シート材で形成されているので、第１蓋部３１を介して三角筒状部５の前側の開口部を覗いても、三角筒状部５の内部を透視することができるからである。
【００２２】
一方、第２蓋部３２は、例えば、１つの封緘片３２１と１つのフラップ片３２２から構成されている。該封緘片３２１は、第４壁面２４の後縁に折り曲げ可能に連設されている。この封緘片３２１には、切込み線３２３が形成されている。また、フラップ片３２２は、第２壁面２２の後縁に折り曲げ可能に連設されている。このフラップ片３２２には、前記切込み線３２３に係入される係止部３２４が形成されている。
前記封緘片３２１を筒状体２の開口部側へ折り曲げ、その上にフラップ片３２２を折り曲げて重ね合わせ、フラップ片３２２の係止部３２４を封緘片３２１の切込み線３２３に係入することにより、筒状体２の後側の開口部が第２蓋部３２によって閉塞されている。
【００２３】
筒状体２の長手方向後側であって第２壁面２２の近傍には、筒状体２の長手方向に対して直交する方向に模様シート９を挿入脱できる挿入口７が形成されている。
具体的には、第１壁面２１の後側及び第３壁面２３の後側は、模様シート９の厚みよりも少し長く切り欠かれている。従って、第１壁面２１及び第３壁面２３の後縁は、第２壁面２２及び第４壁面２４の後縁よりも少し短くなっており、第１壁面２１の後縁と第２壁面２２の間、及び第３壁面２３の後縁と第２壁面２２の間に、それぞれ挿入口７が形成されている。この対向する２つの挿入口７に模様シート９を挿入脱することにより、模様シート９の表面が筒状体２の長手方向に対して直交しながら模様シート９を筒状体２内において移動させることができる。
【００２４】
また、筒状体２の長手方向後側であって前記挿入口７と前記三角筒状部５の反射面の後縁との間の領域に、採光部８が形成されている。この採光部８は、仕切壁面２５、第１壁面２１及び第２壁面２２の後縁から所定長さの領域に反射層４を積層しないことにより、その領域に確保された光が透過する部分である。
なお、透光性シート材の一部を切除することにより、上記採光部８を形成することもできる。
【００２５】
次に、模様シート９について説明する。模様シート９は、シート材の少なくとも表面に所望の模様が表されており、本発明の万華鏡付き収納ケース１に、任意的に附属される。模様シート９の幅は、挿入口７（第１壁面２１及び第３壁面２３の短手方向長さ）と略同寸法又は少し短く形成されている。模様シート９の長手方向長さは、特に限定されず、筒状体２の長手方向長さと略同じでもよいし、それよりも短い又は長くてもよい。
模様シート９は、筒状体２の外側に添付する、或いは、筒状体２の内部に挿入するなどの方法で、万華鏡付き収納ケース１に附属させることができる。なお、模様シート９が、筒状体２の長手方向長さよりも長く形成されている場合には、模様シート９を折り畳めばよい。
【００２６】
また、模様シート９は、挿入口７に挿入脱できるシート状のものであれば特に限定されない。例えば、模様シート９は、シート材と透光性フィルムを重ね且つ両者の周縁部を接着してシート材と透明フィルムの間に袋部が形成されていると共に、その袋部内に任意のオブジェクト（色付き粒子や扁平状の模様小片など）が自由に移動できるように封入されたものでもよい。
模様シート９を構成する上記シート材は、透光性を有するものでもよいし、透光性を有しないものでもよい。
【００２７】
上記模様シート９は、本発明の万華鏡付き収納ケース１に附属していることが好ましいが、本発明の万華鏡付き収納ケース１は、模様シート９を具備しないものでもよい。例えば、本発明の万華鏡付き収納ケース１は、所望の物品Ａを収納して消費者に販売されるが、購入した消費者が、任意のシート材に模様を表し、これを本発明の万華鏡付き収納ケース１に適用して、その模様を鑑賞できるからである。
【００２８】
次に、図７に、上記万華鏡付き収納ケース１を構成する展開シート１０を示す。同図に付した符号のうち、上記万華鏡付き収納ケース１の各構成要素に対応する部分については、同じ符号を付し、その具体的な説明を省略する場合がある。また、同図において、便宜上、全ての折り罫線を一点鎖線で表し、反射層４が積層された領域を薄墨塗りで表している。
【００２９】
展開シート１０は、三角筒状部５の反射面に対応する領域に反射層４が積層された１枚の透光性シート材を打ち抜いて形成されている。
該展開シート１０は、下記のような構成からなる。
すなわち、第１壁面２１の前縁には、折り罫線を介して、第１蓋部３１を構成する封緘片３１１が連設されている。
第１壁面２１の一側には、折り罫線を介して、第２壁面２２が連設されている。第２壁面２２の前縁には、折り罫線を介して、第１蓋部３１を構成する一方のフラップ片３１２が連設されており、第２壁面２２の後縁には、折り罫線を介して、第２蓋部３２を構成するフラップ片３２２が連設されている。さらに、第２壁面２２の他側には、折り罫線を介して、仕切壁面２５が連設されている。
また、第１壁面２１の他側には、折り罫線を介して、第４壁面２４が連設されている。第４壁面２４の前縁には、折り罫線を介して、第１蓋部３１を構成する他方のフラップ片３１２が連設されており、第４壁面２４の後縁には、折り罫線を介して、第２蓋部３２を構成する封緘片３２１が連設されている。
さらに、第４壁面２４の他側には、折り罫線を介して、第３壁面２３が連設されている。
第３壁面２３の一側には、折り罫線を介して、糊代壁面２６が連設されている。
【００３０】
展開シート１０において、第１壁面２１の前縁、第２壁面２２の前縁、第３壁面２３の前縁、第４壁面２４の前縁及び仕切壁面２５の前縁は、略同一直線上に揃って位置している。一方、第１壁面２１の後縁、第３壁面２３の後縁及び仕切壁面２５の後縁は、略同一直線上に揃って位置している。第２壁面２２の後縁及び第４壁面２４の後縁は、略同一直線上に揃って位置し、且つ前記第１壁面２１の後縁よりも少し長く延出されている（挿入口７の幅に相当する分だけ長い）。
【００３１】
さらに、第１壁面２１、第２壁面２２及び仕切壁面２５の表面には、反射層４が積層されている。反射層４は、第１壁面２１、第２壁面２２及び仕切壁面２５のほぼ前縁から、第１壁面２１、第２壁面２２及び仕切壁面２５の後縁から少し離れた前側寄りの領域に亘って積層されている。なお、反射層４は、第１壁面２１と第４壁面２４の連設部分を越え、第４壁面２４の側部に跨った領域にまで積層されている。
なお、反射層４は、第１壁面２１、第２壁面２２及び仕切壁面２５の裏面に積層してもよい。
【００３２】
上記展開シート１０を、反射層４が内側となるようにしながら各壁面を折り罫線において折り曲げ、仕切壁面２５の他側を第１壁面２１及び第４壁面２４の境界部分に当接させる。さらに、糊代壁面を第２壁面２２の外面に接着し（接着方法としては、接着剤又は粘着テープなどが挙げられる）、第２側面の一側に第３壁面２３を連設することにより、筒状体２を構成できる。なお、反射層４が、第１壁面２１、第２壁面２２及び仕切壁面２５の裏面に積層されている展開シート１０の場合には、反射層４が外側となるようにして、展開シート１０を折り曲げる。透光性シート材を用いているので、反射層４が外側となっても、三角筒状部５の内側に、光を反射する反射面を構成できる。
次に、第２蓋部３２によって筒状体２の後側の開口部を閉塞し、且つ第１蓋部３１によって筒状体２の前側の開口部を閉塞することにより、本発明の万華鏡付き収納ケース１が得られる。
【００３３】
上記万華鏡付き収納ケース１は、仕切壁面２５の一側が第２壁面２２に折り曲げ可能に連設され、且つ仕切壁面２５の他側が第１壁面２１と第４壁面２４の境界部分に接している（仕切壁面２５の他側が連設されていない）ので、図８及び図９に示すように、第１壁面２１の内面と第４壁面２４の内面及び第２壁面２２の内面と第３壁面２３の内面が接するようにして、筒状体２を扁平状に折り畳むことができる。
折り畳んだ万華鏡付き収納ケース１は、従来公知の収納ケースを折り畳んだ状態と変わらない。
【００３４】
本発明の万華鏡付き収納ケース１は、筒状収納部６に物品Ａを収納して使用される。
かかる万華鏡付き収納ケース１は、第１蓋部３１の覗き窓（孔部）から三角筒状部５内を覗きながら、挿入口７に模様シート９を挿入して移動させることにより、模様シート９に表された模様が、採光部を通じて入射する光によって三角筒状部５の反射面に映り、その模様変化を鑑賞できる（図１０参照）。
本発明の万華鏡付き収納ケース１は、それに附属している模様シート９を用いる他、消費者が任意に作製したものを用いることができる。このため、バリエーションに富んだ模様を鑑賞することができる。
本発明の万華鏡付き収納ケース１は、上記のように物品Ａを収納するケースとして機能するだけでなく、万華鏡として利用することもできる。
なお、本発明の万華鏡付き収納ケース１は、透光性シート材からなるので、筒状収納部６に収納した物品Ａを外部から透視できる。
【００３５】
次に、本発明の万華鏡付き収納ケース１の変形例を示す。
ただし、下記変形例の説明するにあたっては、上記実施形態と同様の構成及び効果については説明を省略し、用語及び符号をそのまま援用する場合がある。
【００３６】
上記実施形態の万華鏡付き収納ケース１は、筒状収納部６が、仕切壁面２５、第３壁面２３及び第４壁面２４の３面によって形成された三角筒状に形成されているが、筒状収納部６は、三角筒状に限定されず、様々な筒形状に変更できる。例えば、筒状収納部６が、筒状体２を構成する半円弧状の壁面と仕切壁面２５から構成された半円筒状に形成されていてもよい。
【００３７】
また、上記実施形態の万華鏡付き収納ケース１は、１枚の透光性シート材から形成されているが、例えば、２枚以上の透光性シート材を適宜連設することによって形成されていてもよい。
【図面の簡単な説明】
【００３８】
【図１】本発明の万華鏡付き収納ケースの右側面から見た斜視図。なお、万華鏡付き収納ケースに附属される、模様シートも併わせて表している（図２も同様）。
【図２】同左側面から見た斜視図。
【図３】同右側面図。
【図４】図３のＩ−Ｉ線端面図。
【図５】図３のＩＩ−ＩＩ線断面図。
【図６】同万華鏡付き収納ケースの第１蓋部３１を開いた状態を示す右側面から見た斜視図。
【図７】同万華鏡付き収納ケースを構成する展開シートの平面図。
【図８】同万華鏡付き収納ケースを扁平状に折り畳んだ状態を示す平面図。
【図９】図８のＩＩＩ−ＩＩＩ線断面図。
【図１０】同万華鏡付き収納ケースの使用状態を示す右側面から見た斜視図。
【符号の説明】
【００３９】
１…万華鏡付き収納ケース、２…筒状体、２１…第１壁面、２２…第２壁面、２３…第３壁面、２４…第４壁面、２５…仕切壁面、３１…第１蓋部、３２…第２蓋部、４…反射層、５…三角筒状部、６…筒状収納部、７…挿入口、８…採光部、９…模様シート、１０…展開シート
【図１】
2009173321.tif 000003
【図２】
2009173321.tif 000004
【図３】
2009173321.tif 000005
【図４】
2009173321.tif 000006
【図５】
2009173321.tif 000007
【図６】
2009173321.tif 000008
【図７】
2009173321.tif 000009
【図８】
2009173321.tif 000010
【図９】
2009173321.tif 000011
【図１０】
2009173321.tif 000012